(57)【要約】【課題】排水マスからの水の跳ね出しを低減することが可能な雨水排水装置を提供すること。【解決手段】本実施の形態の雨水排水装置１０は、流入口１１と、排水マス７２と、入口配管部７１と、を備える。流入口１１は、雨水が流入する。排水マス７２は、流入口１１に流入した雨水が流れ込む。入口配管部７１は、横方向に沿って排水マス７２の上流側に配置され、排水マス７２に接続されている。入口配管部７１は、拡径部９２と、配管８１と、配管８３と、を有する。拡径部９２は、配管８１の下流側に配置されており、配管８１の管軸８１ｏを含む断面視において、少なくとも下端側で拡径する。配管８３は、拡径部９２の下流側に配置されている。断面視において、配管８１の下端８１ｃの延長線Ｍ１と、拡径部９２の下端９２ｃによって形成される角度θ１は、２０°以上５０°以下である。【選択図】図６
2020020195.tif 000002
【特許請求の範囲】
【請求項１】
雨水を排水する雨水排水装置であって、
雨水が流入する流入口と、
前記流入口に流入した雨水が流れ込む排水マスと、
横方向に沿って前記排水マスの上流側に配置され、前記排水マスに接続されている排水配管部と、を備え、
前記排水配管部は、
第１配管部と、
前記第１配管部の下流側に配置されており、前記第１配管部の管軸を含む断面視において、少なくとも下端側で拡径する第１拡径部と、
前記第１拡径部の下流側に配置されている第２配管部と、を有し、
前記断面視において、前記第１配管部の下端の延長線と、前記第１拡径部の下端によって形成される角度θ１は、２０°以上５０°以下である、
雨水排水装置。
【請求項２】
前記第１配管部の断面積Ｓ１と、前記第２配管部の断面積Ｓ２は、
１．３≦Ｓ２／Ｓ１≦２．１を満たす、
請求項１に記載の雨水排水装置。
【請求項３】
前記第１配管部と前記第１拡径部の間には、少なくとも前記第１配管部の管軸よりも下側においてＲ形状が形成されている、
請求項１または２に記載の雨水排水装置。
【請求項４】
前記断面視において、前記第１配管部の上端と前記第２配管部の上端の高さは一致し、
前記第１拡径部は、偏芯して拡径する、
請求項１〜３のいずれかに記載の雨水排水装置。
【請求項５】
縦方向に沿って配置された立て配管部を更に備え、
前記排水配管部は、前記立て配管部の下端と前記排水マスの間に配置されている、
請求項１〜４のいずれか１項に記載の雨水排水装置。
【請求項６】
前記立て配管部の呼び径は、７５Ａ以上である、
請求項５項に記載の雨水排水装置。
【請求項７】
前記立て配管部は、１５Ｌ／ｓ以上の設計流量である、
請求項５または６に記載の雨水排水装置。
【請求項８】
前記排水配管部は、
前記第２配管部の下流側に配置されており、前記断面視において、少なくとも下端側で拡径する第２拡径部と、
前記第２拡径部の下流側に配置されている第３配管部と、を更に有し、
前記断面視において、前記第２配管部の下端の延長線と、前記第２拡径部の下端によって形成された角度θ２は、２０°以上５０°以下である、
請求項１に記載の雨水排水装置。
【請求項９】
前記流入口に配置され、サイフォン現象を誘発するサイフォン誘発部を更に備えた、
請求項１〜８のいずれか１項に記載の雨水排水装置。
【発明の詳細な説明】
【技術分野】
【０００１】
本発明は、雨水を排水するための雨水排水装置に関する。
【背景技術】
【０００２】
従来、サイフォン現象を誘発させることによって雨水の排水効率を向上させる構成が提案されている（例えば、特許文献１参照。）。
【０００３】
例えば、特許文献１に示す構成では、家屋の軒樋の下側に配置されたエルボ継手や配管などによって構成されるサイフォン管によってサイフォン現象が誘発されていた。
【先行技術文献】
【特許文献】
【０００４】
【特許文献１】特許第４１３０６１６号公報
【発明の概要】
【発明が解決しようとする課題】
【０００５】
上記のようにサイフォン現象を利用することにより排水される雨水の量が多くなるが、排水マスへの雨水の排出について何ら考慮されていなかった。すなわち、雨水の排水量が多くなり、排水マスからの水の跳ね出しが発生する場合があった。
【０００６】
本発明は、排水マスからの水の跳ね出しを低減することが可能な雨水排水装置を提供することを目的とする。
【課題を解決するための手段】
【０００７】
上記目的を達成するために、第１の発明にかかる雨水排水装置は、流入口と、排水マスと、排水配管部と、を備える、流入口は、雨水が流入する。排水マスは、流入口に流入した雨水が流れ込む。排水配管部は、横方向に沿って排水マスの上流側に配置され、排水マスに接続されている。排水配管部は、第１拡径部と、第１配管部と、第２配管部と、を有する。第１拡径部は、第１配管部の下流側に配置されており、第１配管部の管軸を含む断面視において、少なくとも下端側で拡径する。第２配管部は、第１拡径部の下流側に配置されている。断面視において、第１配管部の下端の延長線と、第１拡径部の下端によって形成される角度θ１は、２０°以上５０°以下である。
【０００８】
これにより、多量の雨水が排水マスに流れ込む場合であっても、排水配管部の第１拡径部の下端に沿って雨水が移動すると除々に拡径されるため、流速が減速され、排水マスからの水の跳ね出しを低減することができる。
【０００９】
なお、「横方向」とは、厳密な意味でなく、社会通念上横方向と認識可能な範囲であればよく、傾斜も含む。
【００１０】
第２の発明にかかる雨水排水装置は、第１の発明にかかる雨水排水装置であって、第１配管部の断面積Ｓ１と、第２配管部の断面積Ｓ２は、１．３≦Ｓ２／Ｓ１≦２．１を満たす。
【００１１】
このように拡径率を適切な範囲にすることにより、流速を効果的に減少させることができる。
【００１２】
第３の発明にかかる雨水排水装置は、第１または第２の発明にかかる雨水排水装置であって、第１配管部と第１拡径部の間には、少なくとも第１配管部の管軸よりも下側においてＲ形状が形成されている。
【００１３】
これにより、雨水が下端に沿って第１配管部から第１拡径部に向かって流れていきやすくなるため配管の内面との抵抗が大きくなると考えられ、流速を下げることができる。
【００１４】
第４の発明にかかる雨水排水装置は、第１〜第３のいずれかの発明にかかる雨水排水装置であって、断面視において、第１配管部の上端と第２配管部の上端の高さは一致する。第１拡径部は、偏芯して拡径する。
【００１５】
これにより、第１拡径部による抵抗によって雨水の流速を遅くすることができる。
なお、一致とは、厳密な意味ではなく、社会通念上一致していればよく、誤差や、傾斜も含む。
【００１６】
第５の発明にかかる雨水排水装置は、第１〜第４のいずれかの発明にかかる雨水排水装置であって、立て配管部を更に備える。立て配管部は、縦方向に沿って配置されている。排水配管部は、立て配管部の下端と排水マスの間に配置されている。
【００１７】
このように、立て配管部と排水マスの間に拡径部を設けた排水配管部を配置することによって、立て配管部における雨水の流速を減速してから排水マスに供給することができる。
【００１８】
また、本明細書における「縦方向」とは、厳密な意味でなく、社会通念上縦方向と認識可能な範囲であればよく、傾斜も含む。
【００１９】
第６の発明にかかる雨水排水装置は、第５の発明にかかる雨水排水装置であって、立て配管部の呼び径は、７５Ａ以上である。
【００２０】
７５Ａ以上の立て配管部から落下する雨水の流速を減速してから排水マスに供給することができる。
【００２１】
第７の発明にかかる雨水排水装置は、第５または第６の発明にかかる雨水排水装置であって、立て配管部は、１５Ｌ／ｓ以上の設計流量である。
【００２２】
このように、１５Ｌ／ｓ以上の設計流量の立て管部に多量の雨水が流れた場合であっても、流速を低減し排水マスからの水の跳ね出しを低減することができる。
【００２３】
第８の発明にかかる雨水排水装置は、第１の発明にかかる雨水排水装置であって、排水配管部は、第２拡径部と、第３配管部と、を有する。第２拡径部は、第２配管部の下流側に配置されており、断面視において、少なくとも下端側で拡径する。第３配管部は、第２拡径部の下流側に配置されている。断面視において、第２配管部の下端の延長線と、第２拡径部の下端によって形成された角度θ２は、２０°以上５０°以下である。
このように、拡径部を複数設けることにより、流速を下げることができる。
【００２４】
第９の発明にかかる雨水排水装置は、第１〜７のいずれかの発明にかかる雨水排水装置であって、サイフォン誘発部を更に備える。サイフォン誘発部は、流入口に配置され、サイフォン現象を誘発する。
【００２５】
これにより、サイフォン誘発部によってサイフォン現象が発生し多量の雨水が排水マスに流れ込む場合であっても、排水配管部において流速を下げることができるため、排水マスからの水の跳ね出しを低減することができる。
【発明の効果】
【００２６】
本発明によれば、排水マスからの水の跳ね出しを低減することが可能な雨水排水装置を提供することができる。
【図面の簡単な説明】
【００２７】
【図１】本発明にかかる実施の形態１における雨水排水システムの構成を示す概略図。
【図２】図１の雨水排水システムにおける流入口近傍の断面図。
【図３】（ａ）図２の排水装置におけるサイフォン誘発部の構成を示す正面図、（ｂ）図３（ａ）のサイフォン誘発部の平面図。
【図４】図１の雨水排水装置の模式図。
【図５】図１の雨水排水装置の排水部の側面模式図。
【図６】図５の入口配管部の側断面図。
【図７】図６の入口配管部における配管の組み合わせを示す図。
【図８】本発明にかかる実施の形態２における雨水排水装置の排水部を示す側面図。
【図９】図８の入口配管部の側断面図。
【図１０】本発明にかかる実施の形態３における雨水排水装置の排水部を示す側面図。
【図１１】図１０の入口配管部の側断面図。
【図１２】実施例１〜７および比較例１〜６の結果の表を示す図。
【図１３】実施例６の入口配管部の側断面図。
【発明を実施するための形態】
【００２８】
本発明に係る実施の形態における雨水排水装置１０について図面を参照しながら説明する。
【００２９】
（１．実施の形態１）
以下に、本発明にかかる実施の形態１の雨水排水装置１０について説明する。
【００３０】
＜構成＞
図１は、本実施の形態における雨水排水装置１０の構成を示す図である。
【００３１】
本実施の形態の雨水排水装置１０は、図１に示すように、建造物１００に設置された雨水排水システム１の一部を構成する。
【００３２】
建造物１００は、例えば３階建てのビルであって、１階と２階との間、２階と３階との間に、それぞれスラブ１０１が設けられている。
【００３３】
（雨水排水システム１）
雨水排水システム１は、建造物１００の屋上１０５に降った雨水を地面近傍に移動させて下水管に排水する。雨水排水システム１は、図１に示すように、６つの雨水排水装置１０を備えている。６つのうち３つの雨水排水装置１０は、建造物１００の側面１０３の近傍に、側面１０３に沿って並んで配置されている。残りの３つの雨水排水装置１０は、建造物１００の側面１０３に対向する側面１０４の近傍に、側面１０４に沿って並んで配置されている。
【００３４】
（雨水排水装置１０）
各々の雨水排水装置１０は、流入口１１と、サイフォン誘発部１２（図２参照）と、立て配管部１３と、横引き配管部１４と、立て配管部１５と、排水部１６と、を有する。
【００３５】
（流入口１１）
流入口１１は、屋上１０５に形成された開口であり、屋上１０５に落下した雨水が流入する。
【００３６】
図２は、雨水排水装置１０の流入口１１および後述するサイフォン誘発部１２を示す側断面図である。
【００３７】
図２に示すように、流入口１１は、屋上１０５に形成された凹部１０２の底面１０２ａに形成されている。
【００３８】
本実施の形態では、側面１０３に沿った３つの雨水排水装置１０の３つの流入口１１は、図１に示すように、屋上１０５の端１０５ａに沿って並んで配置されている。また、側面１０４に沿った３つの雨水排水装置１０の３つの流入口１１は、屋上１０５の端１０５ａに対向する端１０５ｂに沿って並んで配置されている。すなわち、屋上１０５には、６つの流入口１１が設けられている。
【００３９】
なお、屋上１０５の端１０５ａ、１０５ｂは、端に沿った方向のいずれか一方に向かって傾斜していてもよい。また、屋上１０５は、端１０５ａ、１０５ｂに向かって中央から傾斜していてもよい。
【００４０】
また、本実施の形態では、流入口１１は、屋上１０５に形成された凹部１０２の底面１０２ａに形成されているが、凹部１０２を設けず直接屋上１０５に形成されていてもよい。
【００４１】
（サイフォン誘発部１２）
サイフォン誘発部１２は、図２に示すように、流入口１１を塞ぐように配置されている。
【００４２】
サイフォン誘発部１２の材質としては、例えば、ＰＥ（ポリエチレン）やＰＰ（ポリプロピレン）などのオレフィン系樹脂、塩ビ樹脂、あるいは、アルミニウム、アルミ合金、ステンレス等の金属等を用いることができる。
【００４３】
樹脂やアルミニウム、アルミニウム合金を用いることにより、軽量かつ低コストで、所望の形状を備えたサイフォン誘発部１２を得ることができる。
【００４４】
図３（ａ）は、サイフォン誘発部１２の平面構成図であり、図３（ｂ）は、図３（ａ）のＡＡ´間の矢示断面図である。
【００４５】
サイフォン誘発部１２は、ベース部４１と、蓋部４２と、整流フィン４３と、を有する。
【００４６】
ベース部４１は、図３（ａ）および図３（ｂ）に示すように、円環状の底面４１ａと、底面４１ａの略中心に形成された雨水を落下させる落とし口４１ｂと、筒状部４１ｃとを有している。そして、落とし口４１ｂは筒状部４１ｃの上端に形成されている。筒状部４１ｃは、立て配管部１３に配置される。
【００４７】
底面４１ａは、図３（ａ）および図３（ｂ）に示すように、略中央部分に落とし口４１ｂが形成された円環状の部材である。そして、円環状の底面４１ａには、落とし口４１ｂを中心に、複数の整流フィン４３が等角度間隔で配置されている。
【００４８】
落とし口４１ｂは、図３（ａ）に示すように、ベース部４１の中心部に形成された貫通穴であって、筒状部４１ｃの内部に形成されている。そして、落とし口４１ｂは、立て配管部１３の上端部に連通しており、サイフォン誘発部１２に対して３６０度方向から流入してきた雨水を、立て配管部１３内へと落下させる。
【００４９】
筒状部４１ｃは、図３（ａ）および図３（ｂ）に示すように、円筒状の部材であって、その上端部において底面４１ａと連結され、底面４１ａから下向きに突出するように形成されている。そして、筒状部４１ｃは、内部に落とし口４１ｂが形成される。
【００５０】
蓋部４２は、図３（ａ）および図３（ｂ）に示すように、ベース部４１の上方に、ベース部４１の中心に形成された落とし口４１ｂと同心円状に配置された円形の板状部材であって、ベース部４１の底面４１ａ上に立設された複数の整流フィン４３によって支持されている。また、蓋部４２は、図３（ｂ）に示すように、ベース部４１（落とし口４１ｂ）の上方に、底面４１ａから所定の隙間Ｇの大きさ（高さ）をあけて配置されている。
【００５１】
複数の整流フィン４３は、図３（ａ）および図３（ｂ）に示すように、落とし口４１ｂに流入する雨水の流れを整えるために、ベース部４１の底面４１ａ上に設けられている。より具体的には、複数の整流フィン４３は、図３（ａ）に示すように、略鉛直方向に沿って配置された板状の部材であって、底面４１ａ上に、落とし口４１ｂを中心とする円の円周上に、等角度間隔で８つ設けられている。
【００５２】
また、８つの整流フィン４３は、それぞれ円環状の底面４１ａにおいて、径方向に沿って配置されている。
【００５３】
これにより、図３（ａ）に示すように、ベース部４１の底面４１ａと蓋部４２との間の隙間Ｇに流入してきた雨水が渦状に浸入してきた場合（図中一点鎖線参照）でも、整流フィン４３によって雨水を整流し、落とし口４１ｂの中心に向かって雨水を誘導することができる。
【００５４】
このため、立て配管部１３内に雨水が渦状に流入して、その中心部に空気柱が形成されることを防止することができる。
【００５５】
この結果、整流フィン４３によって、落とし口４１ｂへ流入していく雨水の中心に空気柱が形成されることを防止することで、立て配管部１３内において生じるサイフォン現象の発生の阻害要因を効果的に排除することができる。
【００５６】
（立て配管部１３）
図４は、雨水排水装置１０の模式構成図である。図４に示すように、雨水排水装置１０における立て配管部１３は、流入口１１から下方に向かって配置されている。立て配管部１３は、図２に示すように、配管２１を有している。配管２１は、ＰＥ（ポリエチレン）製の管状部材であって、図４に示すように、略鉛直方向（上下方向ともいえる）に沿って配置されている。
【００５７】
配管２１の上端（立て配管部１３の上端１３ａともいえる）は、図２に示すように、流入口１１の縁に下方から接続されており、流入口１１に繋がっている。配管２１の下端（立て配管部１３の下端ともいえる）は、横引き配管部１４に繋がっている。
【００５８】
配管２１には、例えば、呼び径が５０Ａ、７５Ａ、１００Ａ、１２５Ａ，１５０Ａ、２００Ａ等の配管が用いられる。内径は、配管の種類ごとに各呼び径において決められている。配管の材料は、本実施の形態では、例えばポリエチレンが用いられているが、これに限られるものではなく、ポリプロピレンなどの他のオレフィンが用いられてもよく、さらに、ポリ塩化ビニルなどが用いられてもよい。
【００５９】
なお、本実施の形態では、立て配管部１３は、一本の配管２１を有しているが、複数の配管２１とそれらの間を繋ぐ継手を有していてもよい。
【００６０】
（横引き配管部１４）
横引き配管部１４は、図４に示すように、横方向に沿って配置されており、一端が、立て配管部１３の下端に繋がっている。横引き配管部１４の他端には、後述する立て配管部１５が接続されている。また、図では示していないが、横引き配管部１４は、立て配管部１５側の端が、反対側の端よりも低くなるように若干傾斜して配置されており、立て配管部１３から流れ込む雨水を立て配管部１５に向かって移動させる。
【００６１】
横引き配管部１４は、図４に示すように、横方向に沿って順に配置された、エルボ継手３１と、配管３２と、エルボ継手３３と、を有する。
【００６２】
エルボ継手３１は、立て配管部１３の下端（配管２１の下端ともいえる）に接続されている。配管３２の一端は、立て配管部１３の下端（配管２１の下端ともいえる）にエルボ継手３１によって接続されている。配管３２の他端は、エルボ継手３３に接続されており、エルボ継手３３は、立て配管部１５の上端に接続されている。
【００６３】
なお、配管３２には、例えば、呼び径が５０Ａ、７５Ａ、１００Ａ、１２５Ａ，１５０Ａ、２００Ａ等の配管が用いられる。内径は、配管の種類ごとに各呼び径において決められている。配管の材料は、本実施の形態では、例えばポリエチレンが用いられているが、これに限られるものではなく、ポリプロピレンなどの他のオレフィンが用いられてもよく、さらに、ポリ塩化ビニルなどが用いられてもよい。
【００６４】
（立て配管部１５）
立て配管部１５は、縦方向に沿って配置されており、図４に示すように、その上端が横引き配管部１４に接続されている。立て配管部１５はスラブ１０１を貫通して配置されている。立て配管部１５は、１５Ｌ／ｓ以上の設計流量となるように構成されている。
【００６５】
立て配管部１５は、図４に示すように、配管６１と、エルボ継手６２と、を有する。配管６１の上端は、エルボ継手３３に接続されている。配管６１の下端は、エルボ継手６２に接続されている。
【００６６】
配管６１は、呼び径が７５Ａ以上の配管が用いられており、例えば、呼び径が７５Ａ、１００Ａ、１２５Ａ，１５０Ａ、２００Ａ等の配管が用いられる。内径は、配管の種類ごとに各呼び径において決められている。
【００６７】
エルボ継手６２は、配管６１の下端に接続されており、横引きされている配管８１（後述する）と接続されている。
【００６８】
本実施の形態の雨水排水装置１０に用いる配管（配管２１、３２、６１、８１、８３（後述する）等）にオレフィン系の配管を用いた場合には、エルボ継手３１、エルボ継手３３、エルボ継手６２（後述する）および偏芯インクリーザ８２（後述する）には、例えばオレフィン製のＥＦ（Electric fusion）継手を用いたほうが好ましい。これらの継手には、電熱線が埋め込まれており、通電することにより、継手内面と配管外面の樹脂を加熱溶融して融着することによって、継手と配管が接合される。なお、本実施の形態の雨水排水装置１０に用いる配管にオレフィン系以外の例えばポリ塩化ビニル製の配管を用いた場合には、エルボ継手３１、エルボ継手３３、エルボ継手６２、および偏芯インクリーザ８２として、ポリ塩化ビニル製のものを用いることができる。なお、継手は、その継手に接続される配管の呼び径に適合するものが用いられる。
【００６９】
（排水部１６）
図５は、図４の排水部１６近傍を示す側面構成図である。
【００７０】
雨水排水装置１０の排水部１６は、横方向に沿って配置され、立て配管部１５のエルボ継手６２に接続されており、雨水を建造物１００の外側に排出する。排水部１６は、入口配管部７１と、排水マス７２と、出口配管部７３と、を有する。
【００７１】
入口配管部７１は、横方向に沿って順に配置された配管８１と、偏芯インクリーザ８２と、配管８３と、を有する。なお、図では示していないが、入口配管部７１は、排水マス７２側の端が、反対側の端よりも高くなるように若干傾斜して配置されており、雨水を排水マス７２に向かって移動させる。
【００７２】
図６は、偏芯インクリーザ８２近傍の側断面図である。
配管８１の一端は、エルボ継手６２に接続されている。配管８１の他端は、偏芯インクリーザ８２（拡径部の一例）に接続されている。なお、図６では、塩化ビニル製の配管８１、偏芯インクリーザ８２および配管８３を用いた構成を図示しているが、上述のように、配管８１、偏芯インクリーザ８２および配管８３にオレフィン製（特にポリエチレン製）のものを用いても良い。その場合、偏芯インクリーザ８２には、ＥＦ継手が用いられるほうが好ましい。また、後述する図９の入口配管部１７１、図１１の入口配管部２７１、および図１３の入口配管部１７１´でも同様である。
【００７３】
偏芯インクリーザ８２は、径の異なる配管を、軸をずらして繋ぐ継手である。偏芯インクリーザ８２は、第１挿入部９１と、第１挿入部９１の下流側に配置された拡径部９２と、拡径部９２の下流側に配置された第２挿入部９３と、を有する。
【００７４】
第１挿入部９１の内側に、配管８１の端が挿入される。第１挿入部９１の内周面９１ａには、段差が形成されている。内周面９１ａのうち上流側の内周面９１ａ１は、内周面９１ａ１の下流側の内周面９１ａ２よりも外周側に配置されている。内周面９１ａ１と内周面９１ａ２を繋ぐように、壁９１ｂが形成されている。壁９１ｂは、第１挿入部９１の軸（配管８１の管軸８１ｏと一致する）に対して略垂直に形成されている。壁９１ｂには、挿入された配管８１の先端が当接する。内周面９１ａ２は、配管８１の内周面８１ａと概ね同一面上に位置する。
【００７５】
拡径部９２は、配管８１の管軸８１ｏを通る断面視において下方に拡径されており、上方は拡径されていない。すなわち、断面視における拡径部９２の内周面９２ａの上端９２ｂは略水平方向に形成され、下端９２ｃは、下流に向かうに従って高さが低くなるように下方に傾斜するように形成されている。第１挿入部９１と拡径部９２の接続部分９４が示されている。
【００７６】
第２挿入部９３の内側に、配管８３の端が挿入される。第１挿入部９１は、第２挿入部９３に対して偏芯して設けられている。第１挿入部９１の軸（配管８１の管軸８１ｏと一致する）は、第２挿入部９３の軸（配管８３の管軸８３ｏと一致する）よりも上側に位置している。第２挿入部９３の内周面９３ａの拡径部９２側の端には、壁９３ｂが形成されている。拡径部９２の内周面９２ａの第２挿入部９３側の端９２ａｅは、内周面９３ａよりも径方向内側に配置されており、壁９３ｂは、端９２ａｅと内周面９３ａの拡径部９２側の端を繋ぐように形成されている。壁９３ｂは、第１挿入部９１の軸（配管８１の管軸８１ｏと一致する）に対して略垂直に形成されている。壁９１ｂには、挿入された配管８３の先端が当接する。壁９３ｂの径方向高さは、概ね配管８３の厚みと概ね一致し、端９２ａｅと配管８３の内周面８３ａの径方向における位置は概ね一致する。本実施の形態では、拡径部９２は、横方向において偏芯インクリーザ８２の接続部分９４から端９２ａｅまでと規定する。
【００７７】
ここで、配管８１の内周面８１ａの断面視における下端８１ｃの延長線Ｍ１と、拡径部９２の内周面９２ａの断面視における下端９２ｃとの間に形成される角度θ１は、２０°≦θ≦５０°を満たす。
【００７８】
配管８３は、上述のように、一端が偏芯インクリーザ８２の第２挿入部９３に挿入され、他端が、排水マス７２に接続されている。
【００７９】
また、断面視における配管８３の内周面８３ａの上端８３ｂと、配管８１の内周面８１ａの上端８１ｂは、高さ方向において概ね一致する。
【００８０】
ここで、配管８１の外径面積Ｓ１に対する配管８３の外径面積Ｓ２の比である拡径率（＝Ｓ２／Ｓ１）は、１．３≦Ｓ２／Ｓ１≦２．１を満たす。
【００８１】
配管８１と配管８３の組み合わせとしては、図７の表に示す呼び径の配管の組み合わせ１〜５が用いられる。内径は、配管の種類ごとに各呼び径において決められている。組み合わせ１では、配管８１に呼び径７５Ａの配管が用いられ、配管８３に呼び径１００Ａの配管が用いられる。
【００８２】
ここで、呼び径によって規定される外径がＪＩＳ（Japanese Industrial Standards）とＩＳＯ（International Organization Standardization）では異なっているため、配管８１および配管８３としてＪＩＳ規定の配管と用いた場合と、ＩＳＯ規定の配管を用いた場合の双方の拡径率を示す。また、ＩＳＯでは、１２５Ａの配管を規定していないため、組み合わせ２、４においてＩＳＯの拡径率は記載されていない。例えば、組み合わせ１では、ＪＩＳの場合、配管８３の外径面積Ｓ２＝１０２０７．３（外径１１４）となり、配管８１の外径面積Ｓ１＝６２２１．１３９（外径８９）となり、拡径比（Ｓ２／Ｓ１）は１．６４となる。一方、ＩＳＯの場合、配管８３の外径面積Ｓ２＝１２２７１．８５（外径１２５）となり、配管８１の外径面積Ｓ１＝６３６１．７２５（外径９０）となり、拡径比（Ｓ２／Ｓ１）は１．９３となる。
【００８３】
組み合わせ２では、配管８１に呼び径１００Ａの配管が用いられ、配管８３に呼び径１２５Ａの配管が用いられ、ＪＩＳ拡径率が１．５１となる。組み合わせ３では、配管８１に呼び径１００Ａの配管を用いられ、配管８３には、呼び径１５０Ａの配管が用いられ、ＪＩＳ拡径率が２．０９となり、ＩＳＯ拡径率が２．０７となる。組み合わせ４では、配管８１に呼び径１２５Ａの配管を用いられ、配管８３には、呼び径１５０Ａの配管が用いられ、ＪＩＳ拡径率が１．３９となる。組み合わせ５では、配管８１に呼び径１５０Ａの配管を用いられ、配管８３には、呼び径２００Ａの配管が用いられ、ＪＩＳ拡径率が１．７１となり、ＩＳＯ拡径率が１．９３となる。
【００８４】
図７の表より、本実施の形態では、Ｓ２／Ｓ１は１．３以上２．１以下に設定されている。
【００８５】
排水マス７２は、配管の詰まりを防止するために設けられている。本実施の形態における排水マス７２は、略直方体形状であり、入口配管部７１が接続されている側面７２ｂと、出口配管部７３が接続されている側面７２ｃと、を有している。側面７２ｂは、側面７２ｃに対向して配置されている。また、側面７２ｂと側面７２ｃは、互いの主面が平行になるように配置されている。配管８３は、排水マス７２の側面７２ｂを貫通して、排水マス７２に接続されている。
【００８６】
出口配管部７３は、排水マス７２から排水された雨水を下水管へと流す。出口配管部７３は、配管８４を有している。配管８４は、横方向に沿って配置されている。なお、図では示していないが、出口配管部７３は、排水マス７２側の端が、反対側の端よりも高くなるように若干傾斜して配置されており、雨水を排水マス７２から下水管（図示せず）に向かって移動させる。配管８４は、側面７２ｃを貫通して、排水マス７２に接続されている。
【００８７】
なお、配管８１、偏芯インクリーザ８２および配管８３には、配管の材料は、本実施の形態では、例えばポリエチレンが用いられているが、これに限られるものではなく、ポリプロピレンなどの他のオレフィンが用いられてもよく、さらに、ポリ塩化ビニルなどが用いられてもよい。
【００８８】
また、配管８１、８３、８４は、複数の配管とそれらの間を繋ぐ継手によって構成されていてもよい。
【００８９】
＜作用＞
雨水排水装置１０では、建造物１００の屋上１０５に降った雨水が凹部１０２へ流れ込み、流入口１１に配置されたサイフォン誘発部１２を通って配管２１に流れ込む。ここで、サイフォン現象が発生するため、立て配管部１３が満管となり、大量の雨水を排水することができる。
【００９０】
複数の流入口１１から流れ込んだ雨水は、立て配管部１３を落下すると、横引き配管部１４に流れ込み、立て配管部１５に流れ込む。
【００９１】
雨水排水装置１０では、立て配管部１５を落下した雨水は、入口配管部７１の拡径部９２において減速されて排水マス７２へと流れ込む。排水マス７２に流れ込んだ雨水は、出口配管部７３を通って下水管へと排出される。
【００９２】
（２．実施の形態２）
次に、本発明にかかる実施の形態２の雨水排水装置１０について説明する。本実施の形態２の雨水排水装置１０は、拡径が複数回行われている点が、実施の形態１と異なる。そのため、本相違点を中心に説明する。
【００９３】
図８は、本実施の形態２の雨水排水装置１０における排水部１１６の入口配管部１７１を示す側面図である。図９は、入口配管部１７１を示す側断面図である。図８および図９に示す入口配管部１７１は、配管８１と、偏芯インクリーザ８２と、配管８３と、偏芯インクリーザ１８２と、配管１８３と、を有している。配管８３の下流側の端が偏芯インクリーザ１８２に接続されている。偏芯インクリーザ１８２の下流側には、配管１８３が接続されており、配管１８３の他端は、排水マス７２に接続されている。配管１８３の外径断面積は、配管８３の外径断面積よりも大きい。
【００９４】
配管１８３の外径断面積Ｓ１２は、配管８３の外径断面積Ｓ１１よりも大きく、拡径率（＝Ｓ１２／Ｓ１１）は、１．３以上２．１以下に設定されている。配管８３の外径断面積Ｓ１１は、上述した外径断面積Ｓ２と同じ値である。
【００９５】
また、断面視における配管８３の内周面８３ａの上端８３ｂと、配管８１の内周面８１ａの上端８１ｂと、配管１８３の内周面１８３ａの上端１８３ｂは、高さ方向において概ね一致する。
【００９６】
また、偏芯インクリーザ１８２は、第１挿入部１９１と、拡径部１９２と、第２挿入部１９３とを有する。第１挿入部１９１と拡径部１９２と第２挿入部１９３は、偏芯インクリーザ８２の第１挿入部９１と拡径部９２と第２挿入部９３と外径が異なる以外同様の構成である。拡径部１９２の内周面１９２ａの断面視における上端１９２ｂは、上端８３ｂおよび上端１８３ｂと一致する。
【００９７】
すなわち、配管８３の内周面８３ａの断面視における下端８３ｃの延長線Ｍ２と、拡径部１９２の内周面１９２ａの断面視における下端１９２ｃとの間に形成される角度θ２は、２０°≦θ２≦５０°を満たす。また、拡径部１９２と第１挿入部１９１の接続部分１９４が図示されている。
【００９８】
以上のように、複数回拡径することによって、広い流領域で効率的に流速を遅くすることができる。
【００９９】
（３．実施の形態３）
次に、本発明にかかる実施の形態３の雨水排水装置１０について説明する。本実施の形態３の雨水排水装置１０では、偏芯インクリーザ８２を用いず同芯のインクリーザ２８２が用いられている。そのため、本相違点を中心に説明する。
【０１００】
図１０は、本実施の形態３の雨水排水装置１０における排水部２１６の入口配管部２７１を示す側面図である。図１１は、入口配管部２７１を示す側断面図である。図１０および図１１に示す入口配管部２７１は、配管８１と、インクリーザ２８２と、配管８３とを有している。配管８１の下流側の端がインクリーザ２８２に接続されており、配管８３の上流側の端がインクリーザ２８２に接続されている。
【０１０１】
上述したように、配管８３の外径断面積Ｓ２は、配管８１の外径断面積Ｓ１よりも大きく、拡径率（＝Ｓ２／Ｓ１）は、１．３以上２．１以下に設定されている。
【０１０２】
インクリーザ２８２は、第１挿入部２９１と、拡径部２９２と、第２挿入部２９３とを有する。
【０１０３】
第１挿入部２９１の内側に、配管８１の端が挿入される。第１挿入部２９１の内周面２９１ａには、段差が形成されている。内周面２９１ａのうち上流側の内周面２９１ａ１は、内周面２９１ａ１の下流側の内周面２９１ａ２よりも径方向の外周側に配置されている。内周面２９１ａ１と内周面２９１ａ２を繋ぐように、壁２９１ｂが形成されている。壁２９１ｂは、第１挿入部２９１の軸（配管８１の管軸８１ｏと一致する）に対して略垂直に形成されている。壁２９１ｂには、挿入された配管８１の先端が当接する。内周面２９１ａ２は、配管８１の内周面８１ａと概ね同一面上に位置する。
【０１０４】
拡径部２９２は、配管８１の管軸８１ｏを通る断面視において全周に渡って拡径されている。断面視における拡径部２９２の内周面２９２ａの上端２９２ｂは下流に向かうに従って高さが高くなるように上方に傾斜するように形成され、下端２９２ｃは、下流に向かうに従って高さが低くなるように下方に傾斜するように形成されている。第１挿入部２９１と拡径部２９２の接続部分２９４が示されている。
【０１０５】
第２挿入部２９３の内側に、配管８３の端が挿入される。第１挿入部２９１は、第２挿入部２９３と同芯に設けられている。第１挿入部９１の軸（配管８１の管軸８１ｏと一致する）は、第２挿入部９３の軸（配管８３の管軸８３ｏと一致する）と同軸上に配置されている。第２挿入部２９３の内周面２９３ａの拡径部２９２側の端には、壁２９３ｂが形成されている。拡径部２９２の内周面２９２ａの第２挿入部２９３側の端２９２ａｅは、内周面２９３ａよりも径方向の内側に配置されており、壁２９３ｂは、端２９２ａｅと内周面２９３ａの拡径部２９２側の端を繋ぐように形成されている。壁２９３ｂは、第１挿入部２９１の軸（配管８１の管軸８１ｏと一致する）に対して略垂直に形成されている。壁２９１ｂには、挿入された配管８３の先端が当接する。壁２９３ｂの径方向の高さは、概ね配管８３の厚みと概ね一致し、端２９２ａｅと配管８３の内周面８３ａの径方向における位置は概ね一致する。本実施の形態では、拡径部２９２は、横方向において偏芯インクリーザ１８２の接続部分２９４から端２９２ａｅまでと規定する。
【０１０６】
ここで、配管８１の内周面８１ａの断面視における下端８１ｃの延長線Ｍ１と、拡径部２９２の内周面２９２ａの断面視における下端２９２ｃとの間に形成される角度θ１は、２０°≦θ１≦５０°を満たす。
【０１０７】
（４．実施例）
次に、実施例を用いて、本発明の雨水排水装置１０について更に詳しく説明する。
【０１０８】
以下の実施例および比較例では、排水部１６における拡径のサイズ、拡径の数、接続部分９４におけるＲ形状の有無などの違いによる、流速の評価を行った。流速の評価としては、黒色の直径５０ｍｍの布切を５枚流し、最大口径に拡径した直後から一定距離を流れる間の時間を計測して、その間の平均流速を算出した。ここでは、正確に流速を測定するため、ビデオカメラで撮影して通過時間を測定し流速を算出した。マス内の水の跳ね出し状況と合わせて確認し、流速は、４．０ｍｓ以下を良好とし、４．０ｍ／ｓよりも大きい場合と良好ではないものとした。
【０１０９】
図１２は、実施例１〜７および比較例１〜６の結果の表を示す図である。
（実施例１）
実施例１では、上述した実施の形態１の構成の雨水排水装置１０を用いた。雨水排水装置１０における立て配管部１３の長さＬ１（図４参照）を０．６ｍとし、横引き配管部１４の長さＬ２を１．５ｍとし、立て配管部１５の長さＬ３を２１ｍとし、入口配管部７１の立て配管部１５から拡径部９２の端９２ａｅ（配管８３の上流側の端）までの距離をＬ４とし、入口配管部７１の拡径部９２の端９２ａｅから排水マス７２までの長さＬ５を９ｍとした。
【０１１０】
また、立て配管部１５の配管６１には呼び径７５Ａの配管を用い、配管８１に呼び径７５Ａの配管を用い、配管８３に呼び径１００Ａの配管を用いた。さらに、偏芯インクリーザ８２におけるθ１を３０°に設定した。
【０１１１】
このような構成の雨水排水装置において、流量２０Ｌ／ｓで水を流入口１１から流したところ、拡径部９２の下流側における流速は２．６ｍ／ｓと良好であった。
【０１１２】
（実施例２）
実施例２では、実施例１と比較して、θ１を２０°に変更した以外は同じ雨水排水装置を用いた。
【０１１３】
このような構成の雨水排水装置において、流量２０Ｌ／ｓで水を流入口１１から流したところ、拡径部９２の下流側における流速は２．４ｍ／ｓと良好であった。
【０１１４】
（実施例３）
実施例３では、実施例１と比較して、θ１を５０°に変更した以外は同じ雨水排水装置を用いた。
【０１１５】
このような構成の雨水排水装置において、流量２０Ｌ／ｓで水を流入口１１から流したところ、拡径部９２の下流側における流速は３．０ｍ／ｓと良好であった。
【０１１６】
（実施例４）
実施例３では、実施例２と同じ雨水排水装置を用いた。
【０１１７】
このような構成の雨水排水装置において、流量３０Ｌ／ｓで水を流入口１１から流したところ、拡径部９２の下流側における流速は４．０ｍ／ｓと良好であった。
【０１１８】
（実施例５）
実施例５では、上述した実施の形態２の入口配管部１７１を備えた構成の雨水排水装置１０を用いた。
【０１１９】
雨水排水装置１０における立て配管部１３の長さＬ１（図５参照）を０．６ｍとし、横引き配管部１４の長さＬ２を１．５ｍとし、立て配管部１５の長さＬ３を２１ｍとし、入口配管部７１の立て配管部１５から拡径部９２の端９２ａｅ（配管８３の上流側の端）までの距離Ｌ４を１ｍとし、入口配管部７１の拡径部９２の端９２ａｅから排水マス７２までの長さＬ５を９ｍとした。また、拡径部９２の端９２ａｅから拡径部１９２の端１９２ａｅまでの長さを０．５ｍとし、拡径部１９２の端１９２ａｅから排水マス７２までの長さを８．５ｍとした。
【０１２０】
また、立て配管部１５の配管６１には呼び径７５Ａの配管を用い、配管８１に呼び径７５Ａの配管を用い、配管８３に呼び径１００Ａの配管を用い、配管１８３に呼び径１５０Ａの配管を用いた。さらに、偏芯インクリーザ８２におけるθ１を４０°に設定し、偏芯インクリーザ１８２におけるθ２を４０°に設定した。
【０１２１】
このような構成の雨水排水装置において、流量３０Ｌ／ｓで水を流入口１１から流したところ、拡径部１９２の下流側における流速は３．３ｍ／ｓと良好であった。
【０１２２】
（実施例６）
実施例６では、実施例５と比較して拡径部にＲ形状を形成した点が異なる雨水排水装置１０を用いた。図１３は、接続部分９４´と接続部１９４´にＲ形状を形成した入口配管部１７１´を示す側断面図、Ｔ部拡大図、およびＷ部拡大図を示す。図１３の偏芯インクリーザ８２の拡径部９２´の接続部分９４´には、Ｒ形状が形成されている。また、偏芯インクリーザ１８２の接続部１９４´には、Ｒ形状が形成されている。
【０１２３】
また、Ｒは、曲率半径が３５ｍｍで形成されている。
このような構成の雨水排水装置において、流量３０Ｌ／ｓで水を流入口１１から流したところ、拡径部１９２´の下流側における流速は２．６ｍ／ｓと良好であった。
【０１２４】
（実施例７）
実施例７では、実施例６と比較して、θ１とθ２の角度を２０°に設定し、配管１８３に呼び径１２５Ａの配管を用いた点が異なる雨水排水装置１０を用いた。
【０１２５】
このような構成の雨水排水装置において、流量３０Ｌ／ｓで水を流入口１１から流したところ、拡径部１９２の下流側における流速は２．４ｍ／ｓと良好であった。
【０１２６】
（実施例８）
実施例８では、実施例７と比較して、拡径部９２の端９２ａｅから拡径部１９２の端１９２ａｅまでの長さを２．０ｍとし、拡径部１９２の端１９２ａｅから排水マス７２までの長さを７．０ｍとした点が異なる雨水排水装置１０を用いた。
【０１２７】
このような構成の雨水排水装置において、流量３０Ｌ／ｓで水を流入口１１から流したところ、拡径部１９２の下流側における流速は２．１ｍ／ｓと良好であった。
【０１２８】
（実施例９）
実施例９では、上述した実施の形態３の構成の雨水排水装置１０を用いた。雨水排水装置１０における立て配管部１３の長さＬ１（図５参照）を０．６ｍとし、横引き配管部１４の長さＬ２を１．５ｍとし、立て配管部１５の長さＬ３を２１ｍとし、入口配管部７１の立て配管部１５から拡径部２９２の端２９２ａｅ（配管８３の上流側の端）までの距離Ｌ４を１ｍとし、入口配管部２７１の拡径部２９２の端２９２ａｅから排水マス７２までの長さＬ５を９ｍとした。
【０１２９】
また、立て配管部１５の配管６１には呼び径７５Ａの配管を用い、配管８１に呼び径７５Ａの配管を用い、配管８３に呼び径１００Ａの配管を用いた。さらに、インクリーザ２８２におけるθ１を２０°に設定した。
【０１３０】
このような構成の雨水排水装置において、流量２０Ｌ／ｓで水を流入口１１から流したところ、拡径部９２の下流側における流速は３．５ｍ／ｓと良好であった。
【０１３１】
（比較例１）
比較例１では、実施例１と比較して、θ１を６０°に設定した雨水排水装置を用いた。
【０１３２】
このような構成の雨水排水装置において、流量３０Ｌ／ｓで水を流入口１１から流したところ、拡径部９２の下流側における流速は６．０ｍ／ｓと結果は良くなかった。
【０１３３】
（比較例２）
比較例２では、実施例１と比較して、θ１を６０°に設定し、接続部分９４に曲率半径３５ｍｍのＲ形状を形成した点が異なる雨水排水装置を用いた。
【０１３４】
このような構成の雨水排水装置において、流量３０Ｌ／ｓで水を流入口１１から流したところ、拡径部９２の下流側における流速は６．０ｍ／ｓと結果は良くなかった。
【０１３５】
（比較例３）
比較例３では、実施例９と比較して、θ１を６０°に設定した雨水排水装置を用いた。
【０１３６】
このような構成の雨水排水装置において、流量３０Ｌ／ｓで水を流入口１１から流したところ、拡径部９２の下流側における流速は７．５ｍ／ｓと結果は良くなかった。
【０１３７】
（比較例４）
比較例４では、実施例１と比較して、偏芯インクリーザ８２および配管８３を備えず、配管８１がエルボ継手６２と排水マス７２を接続する構成の雨水排水装置を用いた。
【０１３８】
このような構成の雨水排水装置において、流量２０Ｌ／ｓで水を流入口１１から流したところ、拡径部９２の下流側における流速は７０ｍ／ｓと結果は良くなかった。
【０１３９】
（比較例５）
比較例５では、比較例４と同様の雨水排水装置を用いた。
【０１４０】
このような構成の雨水排水装置において、流量３０Ｌ／ｓで水を流入口１１から流したところ、拡径部９２の下流側における流速は９．０ｍ／ｓと結果は良くなかった。
【０１４１】
（比較例６）
比較例６では、実施例１と比較して、θ１を６０°に設定した雨水排水装置を用いた。
【０１４２】
このような構成の雨水排水装置において、実施例１と同じ流量２０Ｌ／ｓで水を流入口１１から流したところ、拡径部９２の下流側における流速は４．９ｍ／ｓと結果は良くなかった。
【０１４３】
（５．特徴等）
（１）
本実施の形態の雨水排水装置１０は、流入口１１と、排水マス７２と、入口配管部７１、１７１、２７１（排水配管部の一例）と、を備える、流入口１１は、雨水が流入する。排水マス７２は、流入口１１に流入した雨水が流れ込む。入口配管部７１、１７１、１７１´、２７１は、横方向に沿って排水マス７２の上流側に配置され、排水マス７２に接続されている。入口配管部７１、１７１、１７１´、２７１は、拡径部９２、９２´、２９２（第１拡径部の一例）と、配管８１（第１配管部の一例）と、配管８３（第２配管部の一例）と、を有する。拡径部９２、９２´、２９２は、配管８１の下流側に配置されており、配管８１の管軸８１ｏを含む断面視において、少なくとも下端側で拡径する。配管８３は、拡径部９２、９２´、２９２の下流側に配置されている。断面視において、配管８１の下端８１ｃの延長線Ｍ１と、拡径部９２、９２´、２９２の下端９２ｃ、２９２ｃによって形成される角度θ１は、２０°以上５０°以下である。
【０１４４】
これにより、多量の雨水が排水マス７２に流れ込む場合であっても、入口配管部７１、１７１、１７１´、２７１の拡径部９２、９２´、２９２の下端に沿って雨水が移動すると除々に拡径されるため、流速が減速され、排水マス７２からの水の跳ね出しを低減することができる。
【０１４５】
なお、「横方向」とは、厳密な意味でなく、社会通念上横方向と認識可能な範囲であればよく、傾斜も含む。
【０１４６】
（２）
本実施の形態の雨水排水装置１０では、配管８１（第１配管部の一例）の断面積Ｓ１と、配管８３（第２配管部の一例）の断面積Ｓ２は、１．３≦Ｓ２／Ｓ１≦２．１を満たす。
【０１４７】
このように拡径率を適切な範囲にすることにより、流速を効果的に減少させることができる。
【０１４８】
（３）
本実施の形態の雨水排水装置１０では、配管８１（第１配管部の一例）と拡径部９２´（第１拡径部の一例）の間には、少なくとも配管８１の管軸８１ｏよりも下側においてＲ形状が形成されている。
【０１４９】
これにより、雨水が滑らかに配管８１から拡径部９２´に向かって流れていくため配管の内面との抵抗が大きくなると考えられ、流速を下げることができる。
【０１５０】
（４）
本実施の形態の雨水排水装置１０では、断面視において、配管８１（第１配管部の一例）の上端８１ｂと配管８３（第２配管部の一例）の上端８３ｂの高さは一致する。拡径部９２、９２´は、偏芯して拡径する。
【０１５１】
これにより、拡径部９２、９２´による抵抗によって雨水の流速を遅くすることができる。
【０１５２】
なお、一致とは、厳密な意味ではなく、社会通念上一致していればよく、誤差や、傾斜も含む。
【０１５３】
（５）
本実施の形態の雨水排水装置１０は、立て配管部１５を更に備える。立て配管部１５は、縦方向に沿って配置されている。入口配管部７１、１７１、１７１´、２７１（排水配管部の一例）は、立て配管部１５の下端と排水マス７２の間に配置されている。
【０１５４】
これにより、立て配管部１５と排水マス７２の間に拡径部９２、９２´、２９２を設けた入口配管部７１、１７１、１７１´、２７１（排水配管部の一例）を配置することによって、立て配管部１５において増した雨水の流速を減速してから排水マス７２に供給することができる。
【０１５５】
また、本明細書における「縦方向」とは、厳密な意味でなく、社会通念上縦方向と認識可能な範囲であればよく、傾斜も含む。
【０１５６】
（６）
本実施の形態の雨水排水装置１０では、立て配管部１５の呼び径は、７５Ａ以上である。
【０１５７】
７５Ａ以上の立て配管部１５から落下する雨水の流速を減速してから排水マス７２に供給することができる。
【０１５８】
（７）
本実施の形態の雨水排水装置１０では、立て配管部１５は、１５Ｌ／ｓ以上の設計流量である。
【０１５９】
このように、１５Ｌ／ｓ以上の設計流量の立て配管部１５に多量の雨水が流れた場合であっても、流速を低減し排水マス７２からの水の跳ね出しを低減することができる。
【０１６０】
（８）
本実施の形態の雨水排水装置１０では、入口配管部１７１、１７１´（排水配管部の一例）は、拡径部１９２、１９２´（第２拡径部の一例）と、配管１８３（第３配管部の一例）と、を有する。拡径部１９２、１９２´は、配管８３（第２配管部の一例）の下流側に配置されており、少なくとも下端側で拡径する。配管１８３は、拡径部１９２、１９２´の下流側に配置されている。断面視において、配管８３の下端８３ｃの延長線Ｍ２と、拡径部１９２、１９２´の下端１９２ｃによって形成された角度θ２は、２０°以上５０°以下である。
【０１６１】
このように、拡径部を複数設けることにより、流速を下げることができる。
（９）
本実施の形態の雨水排水装置１０は、サイフォン誘発部１２を更に備える。サイフォン誘発部１２は、流入口１１に配置され、サイフォン現象を誘発する。
【０１６２】
これにより、サイフォン誘発部１２によってサイフォン現象が発生し多量の雨水が排水マスに流れ込む場合であっても、入口配管部７１、１７１、１７１´、２７１（排水配管部の一例）において流速を下げることができるため、排水マス７２からの水の跳ね出しを低減することができる。
【０１６３】
（６．他の実施形態）
以上、本発明の一実施形態について説明したが、本発明は上記実施形態に限定されるものではなく、発明の要旨を逸脱しない範囲で種々の変更が可能である。
【０１６４】
（Ａ）
図１１では、同芯のインクリーザ２８２を１つ用いた雨水排水装置について説明したが、これに限られるものではなく、同芯のインクリーザを複数個備えた構成であってもよい。
また、同芯のインクリーザと偏芯インクリーザが混在していてもよい。
【０１６５】
（Ｂ）
上記実施の形態の雨水排水装置１０では、出口配管部７３は入口配管部７１に対向するように排水マス７２に接続されているが、これに限らなくてもよく、入口配管部７１が接続されている側面の隣の側面に出口配管部７３が接続されていてもよい。
【０１６６】
（Ｃ）
上記実施の形態の雨水排水装置１０では、排水マス７２は直方体形状であったが、これに限られるものではなく、例えば、円柱形状等であってもよい。
【０１６７】
（Ｄ）
上記実施の形態の雨水排水システム１では、側面１０３側に３つの雨水排水装置１０が配置されているが、この数に限られるものではない。
【０１６８】
（Ｅ）
上記実施の形態では、１つの雨水排水装置１０には、流入口１１とサイフォン誘発部１２と立て配管部１３の組が１組設けられているが、複数組設けられていてもよい。この場合、複数組の立て配管部１３の下端が横引き配管部１４に接続されており、複数の流入口１１からの雨水が流れ込む。
【０１６９】
（Ｆ）
上記実施の形態では、雨水排水装置１０は、対向する２つの側面１０３、１０４にのみ設けられているが、４つの側面全ての近傍に設けられていてもよい。
【０１７０】
（Ｇ）
上記実施の形態の雨水排水装置１０では、流路方向に垂直な断面（流路断面）が円形状の配管を用いているが、円形状に限らなくても良く、楕円形状や四角形状等であってもよい。
【０１７１】
（Ｈ）
上記実施の形態の雨水排水装置１０では、立て配管部１５における配管の内径は同一であるが、立て配管部１５の途中に縮径部が設けられており、立て配管部１５の途中で配管の断面積が小さくなってもよい。これによって、雨水の勢いを低減することができ、立て配管部１５の下端や、排水マス７２における水の衝突音を低減することができる。
【０１７２】
（Ｉ）
上記実施の形態では、雨水排水装置１０は、建造物１００の屋内に配置されているが、これに限られるものではなく、屋外に配置されていてもよい。
【産業上の利用可能性】
【０１７３】
本発明の雨水排水装置によれば、排水マスからの水の跳ね出しを低減することが可能な効果を有し、各種排水装置等として利用可能である。
【符号の説明】
【０１７４】
１０      ：雨水排水装置
１１      ：流入口
１２      ：サイフォン誘発部
７１      ：入口配管部
７２      ：排水マス
８１      ：配管
８１ｃ    ：下端
８１ｏ    ：管軸
８３      ：配管
９２      ：拡径部
９２ｃ    ：下端
【図１】
2020020195.tif 000003
【図２】
2020020195.tif 000004
【図３】
2020020195.tif 000005
【図４】
2020020195.tif 000006
【図５】
2020020195.tif 000007
【図６】
2020020195.tif 000008
【図７】
2020020195.tif 000009
【図８】
2020020195.tif 000010
【図９】
2020020195.tif 000011
【図１０】
2020020195.tif 000012
【図１１】
2020020195.tif 000013
【図１２】
2020020195.tif 000014
【図１３】
2020020195.tif 000015